(57)【特許請求の範囲】
【請求項１】
圧縮空気を貯蔵する蓄圧室と、円筒状のシリンダ内に上下動可能に設けられたピストンと、ピストンに取付けられ、シリンダ下方に位置する射出口内の止具を打込むドライバブレードと、シリンダ上方に位置しシリンダ内部と蓄圧室とを連通、遮断するヘッドバルブと、ヘッドバルブを制御する外部から操作可能なトリガバルブと、射出口内と連通し、連結止具が装填される開閉操作可能なネイルガイドと、ネイルガイド内に設けられ、連結止具の先頭の止具を射出口内に順次供給するフィーダピストンと、トリガバルブが操作されていない時に蓄圧室と連通し、トリガバルブが操作されると大気と連通し、圧縮空気が流入するとフィーダピストンを動作させるフィーダピストン上室と、射出口近傍に設けられ、射出口内の止具を射出口下方に押出す押出しピストンと、圧縮空気が流入すると押出しピストンを動作させる押出しピストン上室とを有する打込機であって、
前記フィーダピストンが動作して連結止具の先頭の止具を射出口内に供給するとほぼ同時にフィーダピストン上室と押出しピストン上室とが連通する空気通路を設けたことを特徴とする打込機。
【発明の詳細な説明】
【０００１】
【発明の属する技術分野】
本発明は連結止具の先頭の止具を順次射出口内に供給するフィーダピストンを有するネイルガイドと、打込み動作前に射出口内の止具を射出口下方に押出す押出しピストンとを備えた打込機に関するものである。
【０００２】
【従来の技術】
従来の打込機の一例を図６、図７に示す。
図６において、１は本体、３は円筒状のシリンダ、４はシリンダ３内に上下動可能に保持されたピストン、５はピストン４に一体に取付けられ、本体１下方に設けられた射出口１２内に位置する釘６ａを打込むドライバブレード、７は図示しないトリガバルブにより制御され圧縮空気を貯蔵する蓄圧室９とシリンダ３内部とを連通、遮断するヘッドバルブ、１７はドライバブレード５の打込み方向に往復動可能に設けられた押出しピストン、１７ａは押出しピストン１７に設けられ、射出口１２内に突出可能な係止部、１８は押出しピストン上室である。押出しピストン上室１８内に圧縮空気が流入すると、押出しピストン１７内に設けられた空気通路１７ｂを圧縮空気が通り係止部１７ａが射出口１２内に突出した後で、押出しピストン１７は下降する。係止部１７ａは射出口１２内の釘６の上部に突出し、係止部１７ａは押出しピストン１７の下降に伴って射出口１２内の釘６ａを射出口１２下方に押出し、押出された釘６ａは射出口１２下部に設けられたバーチカルガイド３０によって下端を突出させた状態で保持される。
【０００３】
図７は本体１下部を示す要部拡大断面図であり、ネイルガイド２１の構造を示す。ネイルガイド２１内にはフィーダピストン１３が設けられ、フィーダピストン１３はフィーダピストン上室１４内に設けられたスプリング２４により常時射出口１２側に付勢されている。また、フィーダピストン下室１５はシリンダ３の外周に設けられた戻り空気室１０と空気通路１６を介して連通しており、ドライバブレード５が下降して打込みを行う際に戻り空気室１０に流入する圧縮空気がフィーダピストン下室１５内に流入するので、フィーダピストン１３は射出口１２内で釘６ａがドライバブレード５により打撃される前にスプリング２４の付勢力に抗して射出口１２から後退する。打込みが終了し、図示しないトリガバルブが初期位置に復帰しヘッドバルブ７がシリンダ３内部と蓄圧室９との連通を遮断すると、ドライバブレード５が初期位置に復帰する行程に入るため、戻り空気室１０の内圧が低下しフィーダピストン１３はスプリング２４の付勢力により射出口１２側に移動して連結釘６の先頭の釘６ａを射出口１２内に供給する。
【０００４】
【発明が解決しようとする課題】
前記押出しピストン１７がフィーダピストン１３よりも先に動作する、あるいは押出しピストン１７とフィーダピストン１３とが同時に動作すると、射出口１２内に釘６ａが位置していない状態で押出しピストン１７が動作することになるので釘６ａを押出すことができない、あるいは押出しピストン１７の係止部１７ａが邪魔になりフィーダピストン１３が釘６ａを射出口１２内に供給することができない場合がある。
上記したような不具合が発生しないようにするために、従来の打込機には、押出しピストン１７とフィーダピストン１３との動作タイミングをずらす装置が設けられていた。このため、打込機本体１が大型化すると共に高価なものとなるという欠点があった。
本発明の目的は、上記欠点を解消し、特別な装置等を設けなくとも、確実にフィーダピストンが動作して止具を射出口内に供給した後で押出しピストンが動作するようにした打込機を提供することである。
【０００５】
【課題を解決するための手段】
上記目的は、フィーダピストンが動作して連結止具の先頭の止具を射出口内に供給するとほぼ同時にフィーダピストン上室と押出しピストン上室とが連通するようにすることにより達成される。
【０００６】
【発明の実施の形態】
本発明打込機の一実施形態を図１〜図５を用いて以下説明する。なお、上記した従来の打込機と同一構造の部分には同様の符号を付したので説明を省略する。図１において２５は引き操作されることにより後述するトリガバルブ２６を動作させるトリガ、２６は通常時には後述する起動ピストン２８を介して蓄圧室９とフィーダピストン上室１４及びヘッドバルブ上室２２とを連通させ、動作時には蓄圧室９とフィーダピストン上室１４及びヘッドバルブ上室２２との連通を遮断し、フィーダピストン上室１４及びヘッドバルブ上室２２と大気とを連通させるトリガバルブである。２７は起動プランジャ、２８は起動ピストン、２９はドアバルブであり、ドアバルブ２９はネイルガイド２１が開状態となったことを感知し動作するもので、ネイルガイド２１の開状態を感知すると起動ピストン２８を上昇させる。起動ピストン２８は上昇すると、起動プランジャ２７が引き操作されるまでは上昇位置を維持し、上昇している間はトリガバルブ２６とヘッドバルブ上室及びフィーダピストン上室１４との連通を遮断すると共に蓄圧室９とヘッドバルブ上室２２とを連通させ、ネイルガイド２１を一度開状態とした場合には起動プランジャ２７を引き操作しない限りは打込み、フィーダピストン１３及び押出しピストン１７の動作を抑止するものであり、このような構造とすることでネイルガイド２１を一度開状態としその後閉状態とするとこれと同時に押出しピストン１７が動作して射出口１２内の釘６ａを射出口１２先端に押出すことを防止している。
【０００７】
図１の打込機は初期状態にあり、図２に打込みが行われた状態を示す。図１に示す状態で、トリガ２５を引き操作しトリガバルブ２６を動作させるとトリガバルブ２６はヘッドバルブ上室２２、フィーダピストン上室１４及び押出しピストン上室１８内の圧縮空気を大気に放出し、これによりヘッドバルブ７が上昇すると共に押出しピストン１７がスプリング２０の付勢力により上昇する。ヘッドバルブ７が上昇すると蓄圧室９とシリンダ３内部とが連通し、シリンダ３内部に圧縮空気が流入しピストン４及びドライバブレード５がシリンダ３内を急激に下降する。ピストン４及びドライバブレード５の下降により、戻り空気室１０内に圧縮空気が流入すると共に戻り空気室１０と空気通路１６を介して連通したフィーダピストン下室１５内にも圧縮空気が流入し、これによりドライバブレード５が射出口１２内を通過するより前にフィーダピストン１３は後退する。その後ドライバブレード５は図２に示すように射出口１２内の釘６ａを被打込材２３に打込む。
【０００８】
打込み終了後にトリガ２５の操作が解除され、トリガバルブ２６が図１に示す初期位置に復帰すると、再度ヘッドバルブ上室２２及びフィーダピストン上室１４と蓄圧室９とが連通する。これによりヘッドバルブ７が下降し蓄圧室９とシリンダ３内部との連通が遮断され、ピストン４及びドライバブレード５が戻り空気室１０内の圧縮空気により図１に示す初期位置に復帰すると共に図３に示すようにフィーダピストン１３が射出口１２側に移動してネイルガイド２１内に装填された連結釘６の先頭の釘６ａを射出口１２内に供給する。図に示すようにフィーダピストン１３が射出口１２内に釘６ａを供給するとほぼ同時にフィーダピストン上室１４と押出しピストン上室１８とが空気通路１９を介して連通し、押出しピストン上室１８内に圧縮空気が流入し、図４に示すように押出しピストン１７が下降して射出口１２内の釘６ａを射出口１２下方に押出す。その後、トリガ２５が引き操作されトリガバルブ２６が動作すると、押出しピストン上室１８内の圧縮空気はトリガバルブ２６から大気に放出されるため、図５に示すように押出しピストン１７はスプリング２０の付勢力により上昇し、この後で図２に示すようにドライバブレード５が射出口１２内の釘６ａを打込む。
【０００９】
上記したようにフィーダピストン１３が動作して連結釘６の先頭の止具６ａを射出口１２内に供給するとほぼ同時にフィーダピストン上室１４と押出しピストン上室１８とが連通するようにしたので、確実にフィーダピストン１３が動作して射出口１２内に釘６ａが供給された後に押出しピストン１７が動作するようになる。
【００１０】
【発明の効果】
上記したように本発明によれば、フィーダピストンが動作して連結釘の先頭の釘を射出口内に供給するとほぼ同時にフィーダピストン上室と押出しピストンとが連通するようにしたので、特別な装置等を設けなくとも、確実にフィーダピストンが動作して止具を射出口内に供給した後で押出しピストンが動作するようにした打込機を提供することができるようになる。
【図面の簡単な説明】
【図１】本発明打込機の一実施形態を示す要部拡大断面図。
【図２】本発明打込機の動作状態を示す図１の要部拡大図。
【図３】本発明打込機の動作状態を示す図１の要部拡大図。
【図４】本発明打込機の動作状態を示す図１の要部拡大図。
【図５】本発明打込機の動作状態を示す図１の要部拡大図。
【図６】従来の打込機の一例を示す要部拡大断面一部省略図。
【図７】従来の打込機の一例を示す要部拡大断面図。
【符号の説明】
６は連結釘、６ａは連結釘の先頭の釘、１２は射出口、１３はフィーダピストン、１４はフィーダピストン上室、１７は押出しピストン、１８は押出しピストン上室、２６はトリガバルブである。
【図１】
0003653961.tif 000002
【図２】
0003653961.tif 000003
【図３】
0003653961.tif 000004
【図４】
0003653961.tif 000005
【図５】
0003653961.tif 000006
【図６】
0003653961.tif 000007
【図７】
0003653961.tif 000008